(57)【特許請求の範囲】
【請求項１】
サッシの屋外側に配置されるシャッタと、このシャッタを収納するケースとが、予め前記サッシと一体化されたシャッタ付きサッシユニットを壁に形成された開口部に取付けるシャッタ付きサッシユニットの取付方法であって、
前記シャッタ付きサッシユニットを、屋内側から前記開口部の内側に配置し、前記ケースの上面を前記開口部の上部内周面にビスによって固定することを特徴とするシャッタ付きサッシユニットの取付方法。
【請求項２】
請求項１記載のシャッタ付きサッシユニットの取付方法により構築されるシャッタ付きサッシユニットの取付構造であって、
開口部を有する壁の屋外側となる面に、外装材が設けられ、
前記シャッタ付きサッシユニットのケースの上面が、ビスによって前記開口部の上部内周面に固定されることにより、前記ケースが壁に取付けられていることを特徴とするシャッタ付きサッシユニットの取付構造。
【請求項３】
請求項２記載のシャッタ付きサッシユニットの取付構造を適用した艤装連結壁パネルであって、
開口部が設けられるように複数の壁パネルが互いに連結されて構成される連結壁パネルの屋外側となる面に、外装材が設けられ、
シャッタ付きサッシユニットが前記連結壁パネルに取付けられていることを特徴とする艤装連結壁パネル。
【請求項４】
請求項１記載のシャッタ付きサッシユニットの取付方法により構築されるシャッタ付きサッシユニットの取付構造であって、
ケースが壁の外面よりも屋内側に配置され、前記ケースの屋外側となる面が、前記壁の外面に設けられた外装材により覆われていることを特徴とするシャッタ付きサッシユニットの取付構造。
【請求項５】
請求項１記載のシャッタ付きサッシユニットの取付方法に用いられるシャッタ付きサッシユニットであって、
サッシの屋内側に配置されるロールスクリーンまたはブラインドまたはカーテンレールが予め一体化されており、
シャッタと、前記ロールスクリーンまたはブラインドまたはカーテンレールとが、共通のケース内に収納されることを特徴とするシャッタ付きサッシユニット。
【請求項６】
請求項１記載のシャッタ付きサッシユニットの取付方法において、
シャッタ付きサッシユニットには、造作部材が予め一体化されていることを特徴とするシャッタ付きサッシユニットの取付方法。
【請求項７】
請求項２または４記載のシャッタ付きサッシユニットの取付構造において、
シャッタ付きサッシユニットには、造作部材が予め一体化されていることを特徴とするシャッタ付きサッシユニットの取付構造。
【請求項８】
請求項３記載の艤装連結壁パネルにおいて、
シャッタ付きサッシユニットには、造作部材が予め一体化されていることを特徴とする艤装連結壁パネル。
【請求項９】
請求項５記載のシャッタ付きサッシユニットにおいて、
造作部材が予め一体化されていることを特徴とするシャッタ付きサッシユニット。
【発明の詳細な説明】
【０００１】
【発明の属する技術分野】
本発明は、建築物の壁にシャッタ付きサッシユニットを取付けるシャッタ付きサッシユニットの取付方法、シャッタ付きサッシユニットの取付構造、シャッタ付きサッシユニットが取付けられた艤装連結壁パネルおよびシャッタ付きサッシユニットに関する。
【０００２】
【背景の技術】
従来、建築物の壁にサッシやシャッタを取付ける際の施工を簡易化するため、シャッタ付きサッシユニットを壁に取付ける施工方法が提案されている。
【０００３】
例えば、特開平１１―２８７０７７号公報に記載のシャッター付きサッシは、サッシ枠内に、シャッターを収納するシャッター収納部が取付けられてなるものである。シャッター付きサッシは、サッシ枠外縁に設けられた取付縁、基枠縁によって、外壁パネルユニットの開口部に嵌め込み固定される。これにより、シャッター付きサッシが壁に取付けられている。
【０００４】
【発明が解決しようとする課題】
しかし、上述のシャッター付きサッシの取付時においては、シャッター付きサッシの取付縁、基枠縁を、外壁パネルユニットの屋外となる側から開口部縁部に当接させなければならないため、例えば、このシャッター付きサッシを施工現場で二階の壁に取付ける際に、バルコニなどが設けられていない場所で施工する場合には、屋外側に足場を組む必要が生じ、施工に手間がかかる、という問題があった。
【０００５】
本発明の課題は、シャッタ付きサッシユニットを壁に取付ける際に、屋外側に足場を組むことなく、比較的手間をかけずに施工できるシャッタ付きサッシユニットの取付方法、シャッタ付きサッシユニットの取付構造、シャッタ付きサッシユニットが取付けられた艤装連結壁パネルおよびシャッタ付きサッシユニットを提供することである。
【０００６】
【課題を解決するための手段】
以上の課題を解決するため、請求項１記載の発明は、例えば、図２および図４に示すように、サッシ２の屋外（外装面４）側に配置されるシャッタ３１と、このシャッタ３１を収納するケース３とが、予め前記サッシ２と一体化されたシャッタ付きサッシユニットＵ１を壁（連結壁パネル１）に形成された開口部１０に取付けるシャッタ付きサッシユニットの取付方法であって、
前記シャッタ付きサッシユニットＵ１を、屋内（内装面５）側から前記開口部１０の内側に配置し、前記ケース３の上面を前記開口部１０の上部内周面にビスによって固定することを特徴とする。
【０００７】
ここで、サッシとは、主に窓の枠となるサッシのことを意味する。また、シャッタとは、ケース内への収納と、サッシの屋外側への配置とに変換可能であるものを意味し、例えば、ブラインドシャッタや、上下開閉式の外用面格子ブラインドなども含まれる。
【０００８】
請求項１記載の発明によれば、シャッタ付きサッシユニットＵ１を、屋内５側から前記開口部１０の内側に配置し、前記ケース３の上面を前記開口部１０の上部内周面にビスによって固定するので、例えば、施工現場で二階の壁などにシャッタ付きサッシユニットＵ１を取付ける場合に、屋内５の床上で取付作業をおこなえる。したがって、従来と異なり、屋外４側で足場を組む必要がないので、比較的手間をかけずにシャッタ付きサッシユニットＵ１を取付けることができる。
【０００９】
なお、請求項１記載の発明は、施工現場において、シャッタ付きサッシユニットを壁に取付ける場合のみに限らず、外装面側、内装面側とを有する壁（パネル工法における壁パネルなども含む）に対して、あらかじめシャッタ付きサッシユニットの取付けを行う場合にも適用されるものとする。
【００１０】
請求項２記載の発明は、請求項１記載のシャッタ付きサッシユニットの取付方法により構築されるシャッタ付きサッシユニットの取付構造であって、例えば、図２に示すように、開口部１０を有する壁１の屋外４側となる面に、外装材１６が設けられ、前記シャッタ付きサッシユニットＵ１のケース３の上面が、ビスによって前記開口部１０の上部内周面（小壁パネル１２の下框材１２ａ下面）に固定されることにより、前記ケース３が壁１に取付けられていることを特徴とする。
【００１１】
請求項２記載の発明によれば、前記シャッタ付きサッシユニットＵ１のケース３の上面が、ビスによって前記開口部１０の上部内周面（小壁パネル１２の下框材１２ａ下面）に固定されることにより、ケース３が壁１に取付けられているので、ケース３を壁１の屋外４側となる面に固定する必要がない。したがって、ケース３を取付けるために屋外４側で外装材１６を切欠く作業を省略できる。
【００１２】
また、言い換えれば、壁１の屋外４側となる面に外装材１６を取付けた後にシャッタ付きサッシユニットＵ１を取付けるものとしても、シャッタ付きサッシユニットＵ１を取付けた後に外装材１６を取付ける場合に比べて、特に施工性が悪くなることがない。したがって、外装材１６の取付けと、シャッタ付きサッシユニットＵ１の取付けの順番を、適宜選択することができる。
【００１３】
また、ケース３の上面が、開口部１０の上部内周面に配置されることになるので、ケース３が屋外４側または屋内５側に突出する量を軽減できる。したがって、ケース３突出部分の外観がすっきりしたものとなり、屋外面（外装面４）または屋内面（内装面５）の外観を向上できる。
【００１４】
請求項３記載の発明は、請求項２記載のシャッタ付きサッシユニットの取付構造を適用した艤装連結壁パネルであって、例えば、図１〜図３に示すように、開口部１０が設けられるように複数の壁パネル（壁パネル１１、小壁パネル１２、腰壁パネル１３）が互いに連結されて構成される連結壁パネル１の屋外４側となる面に、外装材１６が設けられ、シャッタ付きサッシユニットＵ１が前記連結壁パネル１に取付けられていることを特徴とする。
【００１５】
請求項３記載の発明によれば、請求項２記載のシャッタ付きサッシユニットの取付構造を適用して、シャッタ付きサッシユニットＵ１が連結壁パネル１に取付けられているので、ケース３を連結壁パネル１の屋外４側となる面に固定する必要がない。したがって、艤装連結壁パネルＰ１の製造において、ケース３を取付けるために外装材１６を切欠く作業を省略できる。
【００１６】
また、言い換えれば、連結壁パネル１の屋外４側となる面に外装材１６を取付けた後にシャッタ付きサッシユニットＵ１を取付けるものとしても、シャッタ付きサッシユニットＵ１を取付けた後に外装材１６を取付ける場合に比べて、特に施工性が悪くなることがない。したがって、艤装連結壁パネルＰ１の製造において、外装材１６の取付けと、シャッタ付きサッシユニットＵ１の取付けの順番を、適宜選択することができる。
【００１７】
また、ケース３の少なくとも一部が、開口部１０の内縁に配置されることになるので、ケース３が屋外４側または屋内５側に突出する量を軽減できる。したがって、艤装連結壁パネルＰ１を立てた状態で搬送する際に、ケース３が突出している側へ艤装連結壁パネルＰ１の重心が偏る量が少なくなるので、より安定して艤装連結壁パネルＰ１を搬送できる。
【００１８】
また、外装材１６が設けられた連結壁パネル１に、シャッタ付きサッシユニットＵ１が取付けられているので、艤装連結壁パネルＰ１を施工現場で壁部分に設置するだけで、外装材１６、サッシ２、シャッタ３１を壁部分に設置できる。したがって、施工現場で外装材１６、サッシ２、シャッタ３１を取付ける作業を省略できる。
【００１９】
請求項４記載の発明は、請求項１記載のシャッタ付きサッシユニットの取付方法により構築されるシャッタ付きサッシユニットの取付構造であって、例えば、図７に示すように、ケース７が壁（連結壁パネル６）の外面（外装材６６の外装面４側となる表面）よりも屋内５側に配置され、前記ケース７の屋外４側となる面が、前記壁６の外面に設けられた外装材６６により覆われていることを特徴とする。
【００２０】
請求項４記載の発明によれば、ケース７の屋外４側となる面が外装材６６により覆われているので、屋外４側にケース７が露出しない。したがって、ケース７が屋外４側に露出する場合に比べて、屋外面４の外観を向上できる。
【００２１】
請求項５記載の発明は、請求項１記載のシャッタ付きサッシユニットの取付方法に用いられるシャッタ付きサッシユニットであって、例えば、図２および図７に示すように、サッシ２の屋内５側に配置されるロールスクリーン３２またはブラインドまたはカーテンレール７２・７３が予め一体化されており、シャッタ３１（７１）と、前記ロールスクリーン３２またはブラインドまたはカーテンレール７２・７３とが、共通のケース３（７）内に収納されることを特徴とする。
【００２２】
請求項５記載の発明によれば、共通のケース３（７）内に、シャッタ３１（７１）と、ロールスクリーン３２またはブラインドまたはカーテンレール７２・７３が収納されるので、ロールスクリーン３２またはブラインドまたはカーテンレール７２・７３を収納するためのケースを、屋内５側で別途設ける必要がない。したがって、屋内面５がすっきりとした外観となり、屋内面５の外観を向上できる。
【００２３】
請求項６記載の発明は、請求項１記載のシャッタ付きサッシユニットの取付方法において、例えば、図２および図３に示すように、シャッタ付きサッシユニットＵ１には、造作部材（下化粧枠２１、縦化粧枠２２）が予め一体化されていることを特徴とする。
【００２４】
ここで、造作部材とは、シャッタ付きサッシユニットＵ１周りの仕上材となる部材を意味し、例えば、図２および図３に示す下化粧枠２１や、縦化粧枠２２、上化粧枠２３などが挙げられる。
【００２５】
請求項６記載の発明によれば、シャッタ付きサッシユニットＵ１に造作部材２１・２２が予め一体化されているので、シャッタ付きサッシユニットＵ１を壁１に取付けることにより、壁１に造作部材２１・２２を設置できる。したがって、造作部材２１・２２を別途壁１に取付ける作業が不要となるので、施工時の手間を省略できる。
【００２６】
なお、シャッタ付きサッシユニットＵ１を構成する部材（サッシ２、ケース３など）と造作部材２１・２２とが一体成形されていることにより、シャッタ付きサッシユニットＵ１に造作部材２１・２２が一体化されている構成としても良いし、また、造作部材２１・２２が、例えば、ビスなどの固着具により固定されたり、その一部が係止されたり、嵌合されたりすることなどによりシャッタ付きサッシユニットＵ１に取り付けられて、一体化されている構成としても良い。
サッシ２と造作部材２１・２２とが一体成形されている場合には、サッシ２と造作部材２１・２２とが別々の部材で構成されている場合に比べて、より高い気密性を得ることができる。
【００２７】
請求項７記載の発明は、請求項２または４記載のシャッタ付きサッシユニットの取付構造において、シャッタ付きサッシユニットには、造作部材が予め一体化されていることを特徴とする。
【００２８】
請求項７記載の発明によれば、シャッタ付きサッシユニットに造作部材が予め一体化されているので、シャッタ付きサッシユニットを壁に取付けることにより、壁に造作部材を設置できる。したがって、造作部材を別途壁に取付ける作業が不要となるので、施工時の手間を省略できる。
【００２９】
請求項８記載の発明は、請求項３記載の艤装連結壁パネルにおいて、シャッタ付きサッシユニットＵ１には、造作部材２１・２２が予め一体化されていることを特徴とする。
【００３０】
請求項８記載の発明によれば、シャッタ付きサッシユニットＵ１に造作部材２１・２２が予め一体化されているので、シャッタ付きサッシユニットＵ１を連結壁パネル１に取付けることにより、連結壁パネル１に造作部材２１・２２を取付られる。したがって、造作部材２１・２２を別途連結壁パネル１に取付ける作業が不要となるので、艤装連結壁パネルＰ１製造時の手間を省略できる。
【００３１】
請求項９記載の発明は、請求項５記載のシャッタ付きサッシユニットにおいて、造作部材が予め一体化されていることを特徴とする。
【００３２】
請求項９記載の発明によれば、シャッタ付きサッシユニットに造作部材が予め一体化されているので、シャッタ付きサッシユニットを壁に取付けることにより、壁に造作部材を設置できる。したがって、造作部材を別途壁に取付ける作業が不要となるので、施工時の手間を省略できる。
【００３３】
【発明の実施の形態】
以下、図を参照して本発明の実施の形態を詳細に説明する。
【００３４】
〔第１の実施の形態〕
まず、構成を説明する。
本発明の第１の実施の形態例である艤装連結壁パネルＰ１は、パネル工法により構築される建物に使用されるものである。なお、パネル工法とは、壁や床、屋根などの構成要素を予め工場でパネル化し、施工現場でパネルを組み立てて建築物を構築する施工方法である。パネル工法に用いられるパネルは、主に木質パネルであり、縦横の框材を矩形状に組み立てるとともに、矩形枠の内部に補助桟材を縦横に組み付け、框材と補助桟材との両面もしくは片面に、面材を貼り付けたものである。
【００３５】
また、艤装連結壁パネルＰ１は、例えば、工場などであらかじめ製造されるものである。また、艤装連結壁パネルＰ１は、施工現場に運搬され、建築物の外壁部分に設置されるものであり、外装面が屋外側に、内装面が屋内側に配置するように設置されて用いられる。
【００３６】
図１に示すように、艤装連結壁パネルＰ１は、中央に開口部１０が設けられた連結壁パネル１と、開口部１０に取付けられたシャッタ付きサッシユニットＵ１（以下、サッシユニットＵ１と略称する）と、を備えて構成されている。図１は、外装面側から見た艤装連結壁パネルＰ１の正面図である。連結壁パネル１は、艤装連結壁パネルＰ１が建築物の壁部分に設置される際に、壁を構成するものである。
【００３７】
連結壁パネル１は、二つの壁パネル１１（図３中に図示）と、二つの壁パネル１１それぞれに両側部が連結される小壁パネル１２および腰壁パネル１３（図２中に図示）と、を備えて構成されている。図２は、艤装連結壁パネルＰ１の縦断面図、図３は、開口部１０の縦枠部分における艤装連結壁パネルＰ１の要部横断面図である。
各壁パネル１１・１２・１３は、矩形状に組み立てられた框材（１１ａ・１２ａ・１３ａ）の両面に、面材（１１ｂ・１２ｂ・１３ｂ）が貼り付けられて構成されている。
【００３８】
壁パネル１１は、開口部１０の左右に配置されている。小壁パネル１２は、開口部１０の上方に配置されている。腰壁パネル１３は、開口部１０の下方に配置されている。また、小壁パネル１２および腰壁パネル１３の、壁パネル１１と隣接する側に配置された縦框材の外面は、壁パネル１１の縦框材１１ａの外面にそれぞれ当接されている。
【００３９】
互いに当接された縦框材どうしは、接着剤や釘などにより接合されている。これにより、開口部１０が設けられるように、各壁パネル１１・１２・１３が互いに連結されている。また、図３に示すように、開口部１０内側に面する壁パネル１１の縦框材１１ａ外面には、方立１４が接着剤や釘などにより取付けられている。
【００４０】
図２および図３に示すように、各壁パネル１１・１２・１３の外装面４側となる面材１１ｂ・１２ｂ・１３ｂの表面には、図示しない防水シートを介して、水平方向に延在する胴縁１５が、釘やビスなどにより固定されている。また、胴縁１５には、釘やビスなどにより外装材１６が固定されている。
【００４１】
また、壁パネル１１、腰壁パネル１３の内装面５側となる面材１１ｂ・１３ｂの表面には、例えば、石膏ボードなどからなる耐火材１７が、ビスなどにより取付けられている。
【００４２】
図２に示すように、サッシユニットＵ１は、開口部１０内の内枠となるサッシ２と、サッシ２の外装面４側に配置されるシャッタ３１と、サッシ２の内装面５側に配置されるロールスクリーン３２と、シャッタ３１およびロールスクリーン３２を収納するケース３とが、予め一体化されて構成されている。
【００４３】
サッシ２は、図２に示す上枠サッシ２ａおよび下枠サッシ２ｂと、図３に示す縦枠サッシ２ｃとにより、矩形枠状をなして構成されている。サッシ２内部には、図１に示す窓サッシ２０や、図示しない網戸サッシなどを配置できるようになっている。窓サッシ２０は、嵌め込み窓となっている。なお、図２および図３においては、窓サッシ２０の図示を省略する。
【００４４】
また、図２および図３に示すように、下枠サッシ２ｂ、縦枠サッシ２ｃそれぞれの内装面５側には、造作部材である内部化粧枠（下化粧枠２１、縦化粧枠２２）が一体成形されている。下化粧枠２１、縦化粧枠２２は、中空状に形成されている。また、下枠サッシ２ｂの外装面４側には、水切材２ｄが取付けられている。
【００４５】
図１および図２に示すように、ケース３は、サッシユニットＵ１の上部に、水平配置されている。図２に示すように、ケース３の内装面５側の半分は、サッシ２上方となる位置に配置されている。
【００４６】
ケース３の内部には、シャッタ３１の巻取軸３３と、ロールスクリーン３２の巻取軸３４と、巻取軸３３・３４それぞれの回転駆動に用いられるモータ３５と、が設置されている。シャッタ３１は、巻取軸３３に巻き取られることにより、ケース３内部に収納可能となっている。また、ロールスクリーン３２は、巻取軸３４に巻き取られることにより、ケース３内部に収納可能となっている。
シャッタ３１、ロールスクリーン３２には、各種のシャッタ、ロールスクリーンを適用でき、例えば、ブラインドシャッタや、ロール網戸などを適用することができる。
【００４７】
モータ３５によって巻取軸３３・３４が回転駆動されることにより、シャッタ３１、ロールスクリーン３２の巻き取りや、下降が可能となっている。また、図示しない制御装置により、巻取軸３３・３４のうちのどちらの巻取軸を回転駆動するかを制御できる構成となっている。
【００４８】
ケース３の内装面５側には、開口部３６が形成されており、開口部３６の内装面５側には、開口部３６を閉じるようにして、石膏ボードなどからなる耐火材３７が、ビスなどにより取付けられている。開口部３６下方となるケース３の内装面５側の側面には、係止部２３ａを突出部３８に嵌合させることにより、造作部材である内部化粧枠（上化粧枠２３）が取付けられている。
【００４９】
上化粧枠２３は、ケース３の内装面５側の側面に対して、着脱可能に設けられている。上化粧枠２３を取り外した状態では、ロールスクリーン３２の巻取部分が、内装面５側に露出するようになっている。また、上化粧枠２３を取り外した状態において、電動シャッタのメンテナンスや、ロールスクリーン３２の交換などができるようになっている。
【００５０】
図２および図３に示すように、上述のサッシユニットＵ１は、連結壁パネル１の開口部１０内側に配置されている。
図２に示すように、ケース３上面の内装面５側の半分は、開口部１０の内縁となる、小壁パネル１２の下框材１２ａの下面に対して、接着剤やビスなどにより取付固定されている。また、耐火材３７上部は、小壁パネル１２の内装面５側となる面材１２ｂに対して、ビスなどにより固定されている。
また、下枠サッシ２ｂは、腰壁パネル１３の上框材１３ａの上面に対して、ビスなどにより固定されている。また、縦枠サッシ２ｃは、方立１４の外面に対して、ビスなどにより固定されている。
以上のようにして、サッシユニットＵ１が、連結壁パネル１に取付けられている。
【００５１】
図１に示すように、外装面側において、開口部１０の左右の縁部には縦ケーシング２４が、下の縁部には下ケーシング２５が、それぞれ取付けられている。なお、下ケーシング２５については、図２中において図示省略している。
【００５２】
縦ケーシング２４および下ケーシング２５は、セルロース系微粉末と、樹脂とを混合し、この混合材料を溶融させて押出し成形することにより製造されるものである。この構成とすることにより、縦ケーシング２４および下ケーシング２５に木質感を与えることができ、また、天然木材を材料とする場合に比べて製品品質のばらつきが少なく、安定した製品寸法を得ることができる。
【００５３】
図３に示すように、縦ケーシング２４の開口部１０側の端部における、内装面５側の側面には、シャッタレール２６がビスなどにより取付けられている。図２に示すように、シャッタレール２６は、上下方向に延在して設けられている。シャッタレール２６は、シャッタ３１の昇降時に、シャッタ３１の左右端部を上下方向に誘導するものである。
【００５４】
図３に示すように、シャッタレール２６の内装面５側には、取付部２６ａが一体成形されている。取付部２６ａは、ビス２６ｂにより、縦枠サッシ２ｃおよび方立１４に対して取付固定されている。これにより、縦ケーシング２４およびシャッタレール２６が、開口部１０縁部に取付けられている。
【００５５】
図２に示すように、小壁パネル１２の下部に取付けられた胴縁１５と、ケース３との間には、例えば、軟質樹脂やゴムなどからなる略円柱状のバックアップ材１８が介在されている。また、腰壁パネル１３の上部に取付けられた胴縁１５と、水切材２ｄとの間にも、バックアップ材１８が介在されている。バックアップ材１８の外装面４側には、防水材１９（シーリング材）が充填されている。これにより、外装材１６とケース３の間、および、外装材１６と水切材２ｄの間に、防水処理が施されている。
【００５６】
また、図３に示すように、壁パネル１１に取付けられた胴縁１５と縦ケーシング２４との間には、バックアップ材１８が配置されている。バックアップ材１８の外装面４側には、防水材１９が充填されている。これにより、外装材１６と縦ケーシング２４との間に、防水処理が施されている。
【００５７】
次に、サッシユニットＵ１を連結壁パネル１に取付ける方法について説明する。
図４（Ａ）に示すように、サッシユニットＵ１を、内装面５側から連結壁パネル１に近づけて（矢印Ｙ）、図４（Ｂ）に示すように、開口部１０の内側に配置する。
【００５８】
次に、サッシユニットＵ１を、連結壁パネル１の開口部１０内縁に取付固定する。
【００５９】
ケース３の取付けにおいては、例えば、ケース３の内装面５側に形成された開口部３６から、作業者がビスなどを挿入し、ケース３上面の内装面５側の半分を、小壁パネル１２の下框材１２ａに対して、ビスにより固定する。
その後、耐火材３７を取付け、耐火材３７上部を小壁パネル１２の面材１２ｂに、ビスなどにより固定する。また、上化粧枠２３を、突出部３８に係止部２３ａを嵌合させることにより、ケース３の内装面５側の側面に取付ける。
【００６０】
サッシ２の取付けにおいては、下枠サッシ２ｂを、ビスなどにより、腰壁パネル１３の上框材１３ａに対して固定する。また、縦枠サッシ２ｃを、ビスなどにより、壁パネル１１の縦框材１１ａに対して固定する。
【００６１】
次に、縦ケーシング２４および下ケーシング２５を、外装面４側となる開口部１０の内縁に取付ける。縦ケーシング２４の取付けにおいては、取付部２４ａをビス２４ｂにより、縦枠サッシ２ｃおよび方立１４に対して取付固定する。
【００６２】
次に、連結壁パネル１の外装材１６と、サッシユニットＵ１との間に、防水処理を施す。具体的には、バックアップ材１８を、ケース３の上方、水切材２ｄの下方、縦ケーシング２４の外側に、それぞれ配置し、その後、バックアップ材１８の外装面４側から、防水材１９を充填させる。
【００６３】
上述のようにして、サッシユニットＵ１が連結壁パネル１に取付けられることにより、艤装連結壁パネルＰ１が製造される。艤装連結壁パネルＰ１は、施工現場において、建築物の壁部分に設置され、その後、サッシ２内に、窓サッシ２０や網戸サッシなどが取付けられる。
【００６４】
以上のように、第１の実施の形態例の艤装連結壁パネルＰ１によれば、サッシユニットＵ１を連結壁パネル１に取付けて、艤装連結壁パネルＰ１を製造する際に、ケース３上面の内装面５側の半分を、小壁パネル１２の下框材１２ａ下面に取付けるので、ケース３を連結壁パネル１の外装面４に固定する必要がない。したがって、ケース３を取付けるために外装面４側で外装材１６を切欠く作業を省略できる。
【００６５】
また、言い換えれば、連結壁パネル１の屋外４側となる面に外装材１６を取付けた後にサッシユニットＵ１を取付けるものとしても、サッシユニットＵ１を取付けた後に外装材１６を取付ける場合に比べて、特に施工性が悪くなることがない。したがって、艤装連結壁パネルＰ１の製造において、外装材１６の取付けと、サッシユニットＵ１の取付けの順番を、適宜選択することができる。
【００６６】
また、ケース３の内装面５側の半分が、開口部１０の内縁に配置されているので、ケース３が外装面４側に突出する量を軽減できる。したがって、ケース３突出部分の外観がすっきりしたものとなり、外装面４の外観を向上できる。
【００６７】
また、ケース３が外装面４側に突出する量が軽減されるので、艤装連結壁パネルＰ１を立てた状態において、ケース３が突出している側へ艤装連結壁パネルＰ１の重心が偏る量が少なくなる。したがって、艤装連結壁パネルＰ１を立てた状態で搬送する際に、より安定して艤装連結壁パネルＰ１を搬送できる。
【００６８】
また、外装材１６が設けられた連結壁パネル１に、サッシユニットＵ１が取付けられているので、艤装連結壁パネルＰ１を施工現場で壁部分に設置するだけで、外装材１６、サッシ２、シャッタ３１、ロールスクリーン３２を壁部分に設置できる。したがって、施工現場で外装材１６、サッシ２、シャッタ３１、ロールスクリーン３２を取付ける作業を省略できる。
【００６９】
また、シャッタ３１と、ロールスクリーン３２とが、共通のケース３内に収納されるので、ロールスクリーン３２を収納するためのケースを、サッシ２より内装面５側となる側に別途設ける必要がない。したがって、内装面５がすっきりとした外観となり、内装面５の外観を向上できる。
【００７０】
また、窓サッシ２０に嵌め込み窓を使用しているので、引き違い窓などを用いる場合に比べて、サッシユニットＵ１全体の厚さを薄く設定することができる。
【００７１】
また、上化粧枠２３を取り外した状態で、電動シャッタのメンテナンスができるので、艤装連結壁パネルＰ１を建築物に設置した後、屋内側から電動シャッタのメンテナンスができる。したがって、屋外側からメンテナンスをする場合に比べて、容易に作業を行うことができる。
【００７２】
また、下化粧枠２１、縦化粧枠２２が、下枠サッシ２ｂ、縦枠サッシ２ｃに一体成形されて、シャッタ付きサッシユニットＵ１に予め一体化されているので、シャッタ付きサッシユニットＵ１を連結壁パネル１に取付けることにより、連結壁パネル１に下化粧枠２１、縦化粧枠２２を取付けられる。したがって、下化粧枠２１、縦化粧枠２２を別途連結壁パネル１に取付ける作業が不要となるので、艤装連結壁パネルＰ１製造時の手間を省略できる。
【００７３】
また、下枠サッシ２ｂと下化粧枠２１、縦枠サッシ２ｃと縦化粧枠２２が、一体成形されているので、サッシ２と内部化粧枠とが別々の部材で構成されている場合に比べて、気密性を高めることができる。
【００７４】
また、シャッタ３１、サッシ２、ケース３、ロールスクリーン３２などが一体化されたサッシユニットＵ１を連結壁パネル１に取付けるので、シャッタ３１やサッシ２などの建具を一つ一つ連結壁パネル１に取付ける場合に比べて、作業数を軽減できる。したがって、各種建具をそれぞれ連結壁パネル１に取付る必要がないので、施工が簡単になり、また、省施工化、コストダウンを図ることができる。
【００７５】
なお、サッシユニットＵ１には、ケース３に収納されるロールスクリーン３２が設けられるものとしたが、これに限らず、例えば、後述する第２の実施の形態例のように、カーテンレールを設ける構成としたり、ブラインドを設ける構成としても良い。これらの部材を設ける場合に、ケース３内に収納される構成とすれば、ロールスクリーン３２を設ける場合と同様に、内装面５がすっきりとした外観となり、内装面５の外観を向上できる。
【００７６】
また、縦化粧枠２２は中空状に形成されているものとしたが、例えば、縦化粧枠２２の内部に、プリーツ状の網戸を収納する構成としても良い。このように、縦化粧枠２２などを中空状に形成することにより、その内部に部材を収納でき、機能を設けることができる。
【００７７】
また、図１に示すように、外装面において、開口部１０の上枠にケース３が、縦枠に縦ケーシング２４が、下枠に下ケーシング２５が設けられるものとしたが、これに限らず、壁の外装面側に各種建具などを設ける構成としても良い。
【００７８】
例えば、図５に示す艤装連結壁パネルＰ１’では、その外装面４側において、開口部１０の上枠に外付けシャッタケース３９が、下枠にフラワシェルフ２７が、それぞれ取付けられている。また、この例に限らず、開口部１０の下枠に布団乾しレバーを取付ける構成や、開口部１０の上枠にパーゴラの屋根部を取付ける構成としても良い。
【００７９】
また、開口部１０の縦枠に縦ケーシング２４が設けられるものとしたが、これに代えて、壁パネル１１に取付けられる外装材１６の開口部１０側となる端部を、サッシ２の縦枠サッシ２ｃに巻き込むように配置させる構成としても良い。この場合には、サッシ２の縦枠サッシ２ｃ内にシャッタレールを設ける構成とする。
【００８０】
また、シャッタ３１に代えて、ケース３内に、上下開閉式の外用面格子ブラインドを用いる構成としても、同様の効果を得ることができる。
【００８１】
また、ケース３内のモータ３５によって巻取軸３４が回転駆動されて、ロールスクリーン３２の巻き取りや下降が可能であるものとしたが、これに限らず、手動でロールスクリーン３２を巻き取ったり、下降させたりすることができる構成としてもよい。
【００８２】
また、ロールスクリーン３２や、ブラインド、カーテンレールなどを、サッシユニットＵ１に一体化しない構成としても良い。
【００８３】
また、窓サッシ２０は嵌め込み窓であるものとしたが、これに限らず、例えば、上げ下げ窓、ルーバーサッシ、辷り出し窓、内倒し窓、辷り開き窓、外倒し窓などの特窓や、引き違い窓などをサッシ２内に配置する構成としても良い。
【００８４】
また、下枠サッシ２ｂ、縦枠サッシ２ｃそれぞれに、下化粧枠２１、縦化粧枠２２が一体成形されているものとしたが、これに限らず、下化粧枠２１、縦化粧枠２２が、例えば、ビスなどの固着具により固定されたり、その一部が係止されたり、嵌合されたりすることなどによりシャッタ付きサッシユニットＵ１に取り付けられて、一体化されている構成としても良い。
【００８５】
また、施工工場などで艤装連結壁パネルＰ１を製造するものとしたが、これに限らず、例えば、施工現場へ連結壁パネル１とサッシユニットＵ１とを搬送し、施工現場において、連結壁パネル１を建築物の壁部分に設置した後、サッシユニットＵ１を連結壁パネル１に取付けるものとしても良い。
【００８６】
この場合、サッシユニットＵ１を、建物の屋内側から連結壁パネル１に取付けることになるので、例えば、二階の壁などに設置した連結壁パネル１にサッシユニットＵ１を取付ける場合に、屋内の床上で取付作業を行うことができる。したがって、従来と異なり、屋外側で足場を組む必要がないので、比較的手間をかけずにサッシユニットＵ１を取付けることができる。
【００８７】
また、サッシユニットＵ１は、連結壁パネル１に取付けられるものとしたが、これに限らず、例えば、木造軸組工法、２×４工法、ユニット工法など、他の工法によって構築される建築物の壁に、上述のシャッタ付きサッシユニットの取付方法を適用するものとしても良い。
【００８８】
〔第２の実施の形態〕
図６に示すように、第２の実施の形態例である艤装連結壁パネルＰ２は、中央に開口部６０が設けられた連結壁パネル６と、開口部６０に取付けられたシャッタ付きサッシユニットＵ２（以下、サッシユニットＵ２と略称する）と、を備えて構成されている。図６は、艤装連結壁パネルＰ２の斜視図である。
【００８９】
連結壁パネル６は、図示しない二つの壁パネルと、二つの壁パネルそれぞれに両側部が連結される小壁パネル６２および腰壁パネル６３（図７中に図示）と、を備えて構成されている。図７は、艤装連結壁パネルＰ２の縦断面図である。二つの壁パネルおよび腰壁パネル６３は、第１の実施の形態例における壁パネル１１および腰壁パネル１３とほぼ同様の構成であるので、その説明を省略する。
【００９０】
小壁パネル６２の外装面４側となる面材６２ｂの表面には、胴縁６５を介して外装材６６が固定されている。外装材６６は、その下端が開口部６０内側へ突出するように取付けられている。また、小壁パネル６２の内装面５側となる面材６２ｂの表面には、耐火材６７が取付けられている。
【００９１】
サッシユニットＵ２は、サッシ２と、サッシ２の外装面４側に配置されるシャッタ７１と、サッシ２の内装面５側に配置されるカーテンレール７２・７３と、シャッタ７１およびカーテンレール７２・７３とを収納するケース７とが、予め一体化されて構成されている。サッシ２には、嵌め込み窓である窓サッシ２０が設置されている。サッシ２の構成は、第１の実施の形態例のサッシ２とほぼ同様の構成であるので、その説明を省略する。
【００９２】
ケース７の内部には、シャッタ７１の巻取軸７４と、カーテンレール７２・７３と、が設置されている。カーテンレール７２・７３は、カーテンレース７５、カーテンドレープ７６を吊り下げるとともに、これらの上端部を水平方向へ摺動可能な部材である。また、図示しないモータによって巻取軸７４が回転駆動されることにより、シャッタ７１の巻き取りや、下降が可能となっている。
【００９３】
ケース７は、壁の外面となる外装材６６よりも内装面５側に配置されている。ケース７の外装面４側となる面は、外装材６６の裏面に当接されている。これにより、ケース７の外装面４側となる面が、外装材６６により覆われている。また、ケース７は、カーテンレール７２・７３の厚さ分だけ、開口部６０から内装面５側に突出して設けられている。
【００９４】
また、図６に示すように、外装面４側において、開口部６０の上の縁部には上ケーシング７７が、下の縁部には下ケーシング７８が、左右の縁部には縦ケーシング７９が、それぞれ取付けられている。
【００９５】
上述のサッシユニットＵ２を、連結壁パネル６に取付ける際には、図８（Ａ）に示すように、サッシユニットＵ２を、内装面５側から、連結壁パネル６に近づけて（矢印Ｙ）、図８（Ｂ）に示すように、開口部６０の内側に配置する。
【００９６】
次に、第１の実施の形態例とほぼ同様にして、サッシユニットＵ２を、連結壁パネル６の開口部６０内縁に取付固定する。その後、上ケーシング７７、下ケーシング７８、縦ケーシング７９を、外装面４側となる開口部６０の内縁にそれぞれ取付ける。
【００９７】
上述のようにして製造される艤装連結壁パネルＰ１は、施工現場において、建築物の壁部分に設置される。その後、サッシ２内に、窓サッシ２０や網戸などが取付けられ、また、カーテンレール７２・７３に、カーテンレース７５、カーテンドレープ７６が吊り下げられる。
【００９８】
以上のように、第２の実施の形態例の艤装連結壁パネルＰ２によれば、ケース７の外装面４側となる面が外装材６６により覆われているので、外装面４側にケース７が露出せず、外装面４の外観を向上できる。
【００９９】
また、図７に示すように、ケース７の外装面４側の半分が、開口部６０の内縁に配置されることになるので、ケース７が内装面５側に突出する量を軽減できる。したがって、ケース７突出部分の外観がすっきりしたものとなり、内装面５の外観を向上できる。
【０１００】
また、窓サッシ２０に嵌め込み窓を使用しているので、サッシユニットＵ２全体の厚さを薄く設定することができる。これにより、ケース７が内装面５側への突出する量を軽減できるので、内装面５の外観をより高められる。
【０１０１】
【発明の効果】
請求項１記載の発明によれば、屋内の床上でシャッタ付きサッシユニットの取付作業をおこなえる。したがって、屋外側で足場を組む必要がなく、比較的手間をかけずにシャッタ付きサッシユニットを取付けられる。
【０１０２】
請求項２記載の発明によれば、請求項１記載の発明と同様の効果が得られるのは勿論のこと、屋外側で外装材を切欠く作業を省略できる。また、外装材の取付けと、シャッタ付きサッシユニットの取付けの順番を、適宜選択できる。また、ケースが屋外側または屋内側に突出する量を軽減でき、屋外面または屋内面の外観を向上できる。
【０１０３】
請求項３記載の発明によれば、請求項２記載の発明と同様の効果が得られるのは勿論のこと、艤装連結壁パネルの製造において、外装材を切欠く作業を省略でき、また、外装材の取付けと、シャッタ付きサッシユニットの取付けの順番を、適宜選択できる。また、より安定して、艤装壁パネルを立てた状態で搬送できる。また、施工現場で外装材、サッシ、シャッタを取付ける作業を省略できる。
【０１０４】
請求項４記載の発明によれば、請求項１記載の発明と同様の効果が得られるのは勿論のこと、屋外側にケースが露出せず、屋外面の外観を向上できる。
【０１０５】
請求項５記載の発明によれば、請求項１記載の発明と同様の効果が得られるのは勿論のこと、屋内面がすっきりとした外観となり、屋内面の外観を向上できる。
【０１０６】
請求項６記載の発明によれば、請求項１記載の発明と同様の効果が得られるのは勿論のこと、造作部材を別途壁に取付ける作業が不要となり、施工時の手間を省略できる。
【０１０７】
請求項７記載の発明によれば、請求項２または４記載の発明と同様の効果が得られるのは勿論のこと、造作部材を別途壁に取付ける作業が不要となり、施工時の手間を省略できる。
【０１０８】
請求項８記載の発明によれば、請求項３記載の発明と同様の効果が得られるのは勿論のこと、造作部材を別途連結壁パネルに取付ける作業が不要となり、艤装連結壁パネル製造時の手間を省略できる。
【０１０９】
請求項９記載の発明によれば、請求項５記載の発明と同様の効果が得られるのは勿論のこと、造作部材を別途壁に取付ける作業が不要となり、施工時の手間を省略できる。
【図面の簡単な説明】
【図１】本発明を適用した第１の実施の形態例の艤装連結壁パネルを示す正面図である。
【図２】図１中の艤装連結壁パネルを示す縦断面図である。
【図３】図１中の艤装連結壁パネルを示す要部横断面図である。
【図４】図２中の連結壁パネルにシャッタ付きサッシユニットを取付ける方法を説明するための概略図である。
【図５】図１中の艤装連結壁パネルの変形例を示す斜視図である。
【図６】本発明を適用した第２の実施の形態例の艤装連結壁パネルを示す斜視図である。
【図７】図６中の艤装連結壁パネルを示す縦断面図である。
【図８】図７中の連結壁パネルにシャッタ付きサッシユニットを取付ける方法を説明するための概略図である。
【符号の説明】
Ｐ１  艤装連結壁パネル
Ｕ１  シャッタ付きサッシユニット
１    連結壁パネル（壁）
２    サッシ
３    ケース
４    外装面（屋外）
５    内装面（屋内）
６    連結壁パネル（壁）
７    ケース
１０  開口部
１１  壁パネル
１２  小壁パネル（壁パネル）
１３  腰壁パネル（壁パネル）
１６  外装材
２１  下化粧枠（造作部材）
２２  縦化粧枠（造作部材）
３１  シャッタ
３２  ロールスクリーン
６６  外装材
７１  シャッタ
７２・７３  カーテンレール
【図１】
0004430212.tif 000002
【図２】
0004430212.tif 000003
【図３】
0004430212.tif 000004
【図４】
0004430212.tif 000005
【図５】
0004430212.tif 000006
【図６】
0004430212.tif 000007
【図７】
0004430212.tif 000008
【図８】
0004430212.tif 000009